(57)【要約】  【課題】本発明の課題は、コンタクトガラスにセットした原稿が浮き上がることを簡単に防止できる画像読取装置及びこの画像読取装置を設けた画像形成装置の提供をする。【解決手段】本発明にかかる画像読取装置１０３は、コンタクトガラス４に原稿５を載置して画像を読み取る画像読取装置１０３であって、コンタクトガラス４の縦横の縁に沿って設けられる基準スケール３ａ、３ｂと、原稿が５コンタクトガラス４から浮き上がることを規制する原稿規制部材２ａ、２ｂとを備え、原稿規制部材２ａ、２ｂは、基準スケール３ａ、３ｂに設けられており、コンタクトガラス４との間に隙間１０をあけて位置するようにしている。【選択図】図２
2009042467.tif 000002
【特許請求の範囲】
【請求項１】
コンタクトガラスに原稿を載置して画像を読み取る画像読取装置であって、コンタクトガラスの縦横の縁に沿って設けられる基準スケールと、原稿がコンタクトガラスから浮き上がることを規制する原稿規制部材とを備え、原稿規制部材は、基準スケールに設けられており、コンタクトガラスとの間に隙間をあけて位置することを特徴とする画像読取装置。
【請求項２】
原稿規制部材はスライドして基準スケール側に引き込み自在としてあることを特徴とする請求項１に記載の画像読取装置。
【請求項３】
原稿規制部材には目盛りが刻まれており、基準スケールの一部を構成していることを特徴とする請求項２に記載の画像読取装置。
【請求項４】
基準スケールはコンタクトガラス側に開口する凹みを備えており、原稿規制部材は凹みに収納自在としてあることを特徴とする請求項２に記載の画像読取装置。
【請求項５】
原稿規制部材は、基準スケールに沿って設けた軸に回動自在としてあり、回動して基準スケールに重なることを特徴とする請求項１に記載の画像読取装置。
【請求項６】
縦の基準スケールに沿って設けた縦の原稿規制部材と横の基準スケールに沿って設けた横の原稿規制部材とが連結してあることを特徴とする請求項３〜５の何れかに記載の画像読取装置。
【請求項７】
請求項１〜６の何れかに記載の画像読取装置を設けたことを特徴とする画像形成装置。
【発明の詳細な説明】
【技術分野】
【０００１】
本発明は、画像読取装置及び画像読取装置を設けた画像形成装置に関する。
【背景技術】
【０００２】
複写機等に搭載されている画像読取装置には、原稿の上から被せる背景板が設けられている。背景板は、通常コンタクトガラスを保護するカバーの内側に設けられることが多く、原稿をコンタクトガラスに押さえつけて原稿の浮き上がりを防止するが、カバーの開閉に伴う風圧等により原稿が浮き上がり、原稿がずれた状態でコンタクトガラスに押さえつけられて、読取画像の質を悪くすることがある。
【０００３】
特許文献１においては、コンタクトガラスの縁に沿わせて原稿の位置決めをする基準スケールに、原稿規制部材を回動自在に設けて、コンタクトガラスと原稿規制部材との間に原稿を挟んで、原稿がコンタクトガラスから浮き上がることを防止する技術が開示されている。
【０００４】
【特許文献２】特開平１１−２３１４４３号公報
【発明の開示】
【発明が解決しようとする課題】
【０００５】
しかしながら、特許文献１においては、コンタクトガラスに原稿をセットした後に、原稿を手で押さえながら固定部材を回動して原稿をコンタクトガラスに押さえつけなければならず、原稿の浮き上がりを防止するのに手間がかかる。
【０００６】
本発明は、コンタクトガラスにセットした原稿が浮き上がることを簡単に防止できる画像読取装置及びこの画像読取装置を設けた画像形成装置を得ることを目的とする。
【課題を解決するための手段】
【０００７】
前記課題を解決する為に、請求項１に記載された発明は、コンタクトガラスに原稿を載置して画像を読み取る画像読取装置であって、コンタクトガラスの縦横の縁に沿って設けられる基準スケールと、原稿がコンタクトガラスから浮き上がることを規制する原稿規制部材とを備え、原稿規制部材は、基準スケールに設けられており、コンタクトガラスとの間に隙間をあけて位置することを特徴とする。
【０００８】
請求項２に記載された発明は、請求項１に記載された発明において、原稿規制部材はスライドして基準スケール側に引き込み自在としてあることを特徴とする。
【０００９】
請求項３に記載された発明は、請求項２に記載された発明において、原稿規制部材には目盛りが刻まれており、基準スケールの一部を構成していることを特徴とする。
【００１０】
請求項４に記載された発明は、請求項２に記載された発明において、基準スケールはコンタクトガラス側に開口する凹みを備えており、原稿規制部材は凹みに収納自在としてあることを特徴とする。
【００１１】
請求項５に記載された発明は、請求項１に記載された発明において、原稿規制部材は、基準スケールに沿って設けた軸に回動自在としてあり、回動して基準スケールに重なることを特徴とする。
【００１２】
請求項６に記載された発明は、請求項３〜５の何れかに記載された発明において、縦の基準スケールに沿って設けた縦の原稿規制部材と横の基準スケールに沿って設けた横の原稿規制部材とが連結してあることを特徴とする。
【００１３】
請求項７に記載された発明は、請求項１〜６の何れかに記載された画像読取装置を設けた画像形成装置である。
【発明の効果】
【００１４】
本発明によれば、コンタクトガラスに原稿をセットする際に、コンタクトガラスと原稿規制部材との間に原稿を差し込むだけで、コンタクトガラスから原稿が浮き上がることを簡単に防止できる。
【発明を実施するための最良の形態】
【００１５】
以下、添付図面を参照して、本発明の第１実施の形態を詳細に説明する。図１は本実施の形態に係る画像読取装置のコンタクトガラス付近を示す平面図であり、図２は本実施の形態に係る画像読取装置のコンタクトガラス付近を示すＡＡ断面図であり、図３は、本実施の形態に係る画像読取装置の側面図であり、図４は本実施の形態に係る画像形成装置の概略的構成を示す縦断面図である。
【００１６】
本実施の形態に係る画像読取装置１０３は、図４に示すように、複写機（画像形成装置）１００に設けられているものであり、図１に示すように、コンタクトガラス４の縁に沿って延びた縦の基準スケール３ａ及び横の基準スケール３ｂ（図１参照）と、原稿５がコンタクトガラス４から浮き上がることを規制する縦の原稿規制部材（透明のプラスチックシート）２ａ及び横の原稿規制部材（透明のプラスチックシート）２ｂを備えている。尚、画像読取装置１０３には、図３に示すように、コンタクトガラス４と、コンタクトガラス４を保護するカバー１５と、背景板１７と、スキャナ本体１９とが設けられている。
【００１７】
原稿規制部材２ａ及び２ｂは、図１に示すように、各々基準スケール３ａ及び３ｂに沿って、互いに直角を成して設けられている。
【００１８】
原稿規制部材２ｂの固定部２０は、図２に示すように、基準スケール３ｂの上に接着されており、原稿規制部材２ｂの張り出し部２２はコンタクトガラス４に対向する位置に張り出して設けられている。張り出し部２２とコンタクトガラス４との間には、原稿５が１枚入る位の隙間Ｍがある。尚、原稿規制部材２ａも原稿規制部材２ｂと同様に設けられている。
【００１９】
ここで、本実施の形態に係る画像読取装置を設けた複写機１００の概略的構成及び動作を、図４を用いて説明する。複写機１００は、用紙（記録媒体）６１に記録する記録部１と、用紙６１を供給する給紙部５５と、用紙を排出する排紙部５７と、原稿の画像を読み取る画像読取装置１０３とを備えている。
【００２０】
原稿端を基準スケール３ａ、３ｂに突き当てて原稿をコンタクトガラスにセットし、画像読取装置１０３の画像読取部５９において原稿５の画像を読み取る。一方、給紙部５５において用紙カセットにある用紙６１を給紙コロ６３にて搬送しゴムの分離パット６５のニップ位置で複数枚の用紙６１を摩擦分離し最上用紙６１だけを供給し、搬送ローラ（ガイド入口ローラ・レジストローラ）６７で記録部１に搬送し、その後記録部１で画像を記録し排紙部５７で反転し胴内のスタック部７１に排出される。
【００２１】
以下に、第１実施の形態の作用効果を説明する。
【００２２】
本実施の形態によれば、コンタクトガラス４に原稿５をセットする際に、コンタクトガラス４と原稿規制部材２ａ、２ｂとの間に原稿５を差し込むだけで、コンタクトガラス４から原稿５が浮き上がることを簡単に防止できる。
【００２３】
縦の原稿規制部材２ａ及び横の原稿規制部材２ｂが原稿５の縦及び横の縁の浮き上がりを規制するので、原稿５の浮き上がりを確実に防止することができる。
【００２４】
本実施の形態に係る画像読取装置１０３を複写機（画像形成装置）１００に設けることができる。
【００２５】
次に、本発明の他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００２６】
以下に、本発明の第２実施の形態について説明する。本実施の形態では、図５に示すように、原稿規制部材２ａ、２ｂを収納する凹み６が基準スケール３ａ、３ｂに形成されている。
【００２７】
凹み６は、基準スケール３ａ、３ｂの長手方向に、且つ、基準スケール３ａ、３ｂの長手方向の一端から他端まで連続して形成されている。凹み６は、コンタクトガラス４に平行に、且つ、コンタクトガラス側に開口して設けられている。
【００２８】
原稿規制部材２ａ、２ｂは、取っ手７とストッパ８とを備えている。取っ手７には、基準スケール３ａ、３ｂの長手方向に、直角な方向に連続した案内孔２１が形成されており、ストッパ８は一端２３が基準スケール３ａ、３ｂに支持されて他端２５が取っ手７に設けられた案内孔２１に挿入されている。案内孔２１は長孔であり、ストッパ８と案内孔２１の組み合わせにより、原稿規制部材２ａ、２ｂをガイドし原稿規制部材２ａ、２ｂの移動距離を制限するようになっている。
【００２９】
原稿規制部材２ａ、２ｂは、原稿規制部材２ａ、２ｂが基準スケール３ａ、３ｂの凹みに収納されている初期位置２７（図５（ａ）参照）と、コンタクトガラス４に対向する位置２９（図５（ｂ）参照）との間をスライドさせて移動できるようになっている。原稿規制部材２ａ、２ｂがコンタクトガラスに対向する位置２９にある場合には、コンタクトガラスと原稿規制部材２ａ、２ｂとの間には原稿が１枚入る位の隙間Ｍがある。
【００３０】
本実施の形態によれば、原稿規制部材２ａ、２ｂを初期位置２７に位置させることにより、コンタクトガラス４に原稿５をセットし易くすることができる一方、初期位置２７からコンタクトガラス４に対向する位置２９に原稿規制部材２ａ、２ｂを移動させて原稿規制部材２ａ、２ｂにより原稿５の浮き上がりを規制することにより、原稿５がコンタクトガラス４から浮き上がることを防止できる。
【００３１】
原稿規制部材２ａ、２ｂに取っ手７を設けているので、取っ手７を掴んで原稿規制部材２ａ、２ｂをスライドさせて、基準スケール３ａ、３ｂの凹み６から引き出すこと及び基準スケール３ａ、３ｂの凹み６に引き込んで収納することを簡単にできる。
【００３２】
原稿規制部材２ａ、２ｂの移動に伴い、取っ手７に設けられた案内孔２１がストッパ８にガイドされるので、原稿規制部材２ａ、２ｂの移動を案内でき、且つ、原稿規制部材２ａ、２ｂが基準スケール３ａ、３ｂの凹み６から脱落することを防止できる。
【００３３】
以下に、本発明の第３実施の形態について説明する。本実施の形態では、図６に示すように、原稿規制部材２ａ、２ｂが基準スケール３ａ、３ｂの上面３３に載置されている。尚、原稿規制部材２ａ、２ｂには目盛り５４が刻まれており、基準スケールの一部を構成している。
【００３４】
原稿規制部材２ａ、２ｂ及び基準スケール３ａ、３ｂには、図６（ｂ）に示すように、それぞれカエシを有する凸部３５及びこれに勘合する凹部３７が設けられており、原稿規制部材２ａ、２ｂが基準スケール３ａ、３ｂから上方向に離脱しないようにしている。原稿規制部材２ａ、２ｂの凸部３５及び基準スケール３ａ、３ｂの凹部３７は基準スケール３ａ、３ｂの長手方向に直角な方向に連続して設けられており、凹部３７の両端（図６（ｂ）において紙面に垂直方向の両端）は塞がれている。
【００３５】
原稿規制部材２ａ、２ｂは、図６（ｃ）に示すように、基準スケール３ａ、３ｂの上をスライドして原稿規制部材２ａ、２ｂが基準スケール３ａ、３ｂの真上に位置する初期位置３９と原稿規制部材２ａ、２ｂがコンタクトガラス４に対向する位置４１との間を移動できるようになっている。尚、原稿規制部材２ａ、２ｂがコンタクトガラスに対向する位置４１にある場合には、コンタクトガラスと原稿規制部材２ａ、２ｂとの間には原稿が１枚入る位の隙間Ｍがある。
【００３６】
本実施の形態によれば、原稿規制部材２ａ、２ｂを初期位置３９に位置させることにより、コンタクトガラス４に原稿５をセットし易くすることができる一方、初期位置３９からコンタクトガラス４に対向する位置４１に原稿規制部材２ａ、２ｂを移動させて原稿５の浮き上がりを規制することにより、原稿５がコンタクトガラス４から浮き上がることを防止できる。
【００３７】
原稿規制部材２ａ、２ｂに取っ手１０を設けているので、取っ手１０を掴んで原稿規制部材２ａ、２ｂをスライドさせて初期位置３９とコンタクトガラス４に対向する位置４１との間を簡単に移動させることができる。
【００３８】
原稿規制部材２ａ、２ｂ及び基準スケール３ａ、３ｂにそれぞれ設けた凸部３５及び凹部３７を嵌合させているので、原稿規制部材２ａ、２ｂの移動を案内でき、且つ、原稿規制部材２ａ、２ｂが基準スケール３ａ、３ｂから脱落することを防止できる。
【００３９】
以下に、第４実施の形態を説明する。本実施の形態では、図７に示すように、基準スケール３ａ、３ｂは原稿規制部材２ａ、２ｂを支持する支持部材４３を備えている。支持部材４３は、基準スケール３ａ、３ｂの原稿突き当て基準面４５の上部４７に且つ基準スケール３ａ、３ｂに沿って設けた軸９に、回動自在に設けられている。原稿規制部材２ａ、２ｂは、支持部材４３に接着されており、支持部材４３と一体となって軸９に対して折り返せるようになっている。軸９には、原稿規制部材２ａ、２ｂの回り止め４９がコンタクトガラス４に平行に、且つ、コンタクトガラス側に張り出して設けられており、原稿規制部材２ａ、２ｂをコンタクトガラス４に対向する位置５１に折り返した際に、原稿規制部材２ａ、２ｂがコンタクトガラス４と平行を保つようになっている。
【００４０】
原稿規制部材２ａ、２ｂは基準スケール３ａ、３ｂの上面５０に対向する初期位置５３（図７（ａ）参照）とコンタクトガラス４に対向する位置５１（図７（ｂ）参照）との間を折り返しによって移動できるようになっている。尚、原稿規制部材２ａ、２ｂがコンタクトガラスに対向する位置５１にある場合には、コンタクトガラスと原稿規制部材２ａ、２ｂとの間には原稿が１枚入る位の隙間Ｍがある。
【００４１】
本実施の形態によれば、原稿規制部材２ａ、２ｂを軸９に対して折り返すことにより、初期位置５３からコンタクトガラスに対向する位置５１に原稿規制部材２ａ、２ｂを簡単に移動させることができ、且つ、コンタクトガラス４に対向する位置５１から初期位置５３に原稿規制部材２ａ、２ｂを簡単に移動させることができる。
【００４２】
本発明は、上述した実施の形態に限定されず、その要旨を逸脱しない範囲内において、種々の変形が可能である。
【００４３】
第１実施の形態における原稿規制部材２ａ、２ｂはフラットなものであるが、これに代えて、図１０に示すように、テーパー状の原稿規制部材１１３を用いて、コンタクトガラス４と原稿規制部材１１３の下面との距離が基準スケール３ａ、３ｂから離れるにつれて長くなるように原稿規制部材１１３を設けても良い。コンタクトガラス４と原稿規制部材２ａ、２ｂとの間に原稿５をスムーズに差し込むことができる。
【００４４】
第２実施の形態及び第３実施の形態では、縦及び横の原稿規制部材２ａ及び２ｂを別々に移動させているが、図８（ａ）に示すように、Ｌ字状に形成した原稿規制部材１１ａ、又は縦の原稿規制部材２ａと横の原稿規制部材２ｂとを連結してＬ字状にした原稿規制部材１１ｂを、コンタクトガラス４に対して斜めにスライドさせて移動するようにしても良い。一の動作で縦、横の原稿規制部材を移動させることができる。尚、図８（ｂ）及び図９（ｂ）はＤＤ断面図及びＥＥ断面図である。
【００４５】
第４実施の形態では、縦及び横の原稿規制部材２ａ及び２ｂを別々に折り返しているが、図１１に示すように、縦の原稿規制部材２ａと横の原稿規制部材２ｂの隣り合う一端同士をゴムバンド１１１で連結して、原稿規制部材２ａ、２ｂを連動して折り返せるようにしても良い。一の動作で縦、横の原稿規制部材を移動させることができる。
【００４６】
第４実施の形態では、軸９に回り止め４９が設けられているが、回り止め４９を設けずに、コンタクトガラス４に載置した原稿５を原稿規制部材２ａ、２ｂの一端で押さえつけるようにしても良い。
【００４７】
第２実施の形態とその変形例、第３実施の形態とその変形例、及び第４実施の形態、では、原稿規制部材２ａ、２ｂ、１１、１３を掴んで引き出す又は原稿規制部材２ａ、２ｂを折り返してコンタクトガラス４に対向する位置に移動させているが、これに代えて、スプリング（バネ）の一端を原稿規制部材２ａ、２ｂに、且つ、他端を基準スケール３ａ、３ｂの本体に取り付けて、初期位置でスプリングを縮ませてスプリングの伸びを制限しておいて、この制限をワンタッチで解除して、原稿規制部材２ａ、２ｂが初期位置からコンタクトガラスに対向する位置に移動するようにしても良い。
【図面の簡単な説明】
【００４８】
【図１】は第１実施の形態に係る画像読取装置のコンタクトガラス付近を示す平面図である。
【図２】第１実施の形態に係る画像読取装置のコンタクトガラス付近を示す縦断面図である。
【図３】第１実施の形態に係る画像読取装置の側面図である。
【図４】第１実施の形態に係る画像形成装置の概略的構成を示す縦断面図である。
【図５】（ａ）第２実施の形態に係る原稿規制部材が初期位置にある状態を示す斜視図である。（ｂ）第２実施の形態に係る原稿規制部材がコンタクトガラスに対向する位置にある状態を示すＢＢ断面図である。
【図６】（ａ）第３実施の形態に係る基準スケールの上部の移動状態を示す斜視図である。（ｂ）第３実施の形態に係る基準スケールの上部と下部の嵌合状態を示すＣＣ断面図である。（ｃ）第３実施の形態に係る基準スケールの上部の移動状態を示すＦＦ断面図である。
【図７】（ａ）第４実施の形態に係る原稿規制部材が初期位置にある状態を示す斜視図である。（ｂ）第４実施の形態に係る原稿規制部材がコンタクトガラスに対向する位置にある状態を示す斜視図である。
【図８】（ａ）第２実施の形態の変形例に係る画像読取装置のコンタクトガラス付近を示す平面図である。（ｂ）第２実施の形態の変形例に係る原稿規制部材がコンタクトガラスに対向する位置にある状態を示すＤＤ断面図である。
【図９】（ａ）第３実施の形態の変形例に係る画像読取装置のコンタクトガラス付近を示す平面図である。（ｂ）第３実施の形態の変形例に係る画像読取装置のコンタクトガラス付近を示すＥＥ断面図である。
【図１０】第１実施の形態の変形例に係る画像読取装置のコンタクトガラス付近を示す縦断面図である。
【図１１】第４実施の形態の変形例に係る原稿規制部材を示す平面図である。
【符号の説明】
【００４９】
２ａ、２ｂ        縦の原稿規制部材、横の原稿規制部材
３ａ、３ｂ        縦の基準スケール、横の基準スケール
４                コンタクトガラス
５                原稿
６                凹み
９                軸
２７              初期位置
２９              コンタクトガラスに対向する位置
３９              初期位置
４１              コンタクトガラスに対向する位置
５１              コンタクトガラスに対向する位置
５３              初期位置
５４              目盛り
１００            複写機（画像形成装置）
１０３            画像読取装置
Ｍ                隙間
【図１】
2009042467.tif 000003
【図２】
2009042467.tif 000004
【図３】
2009042467.tif 000005
【図４】
2009042467.tif 000006
【図５】
2009042467.tif 000007
【図６】
2009042467.tif 000008
【図７】
2009042467.tif 000009
【図８】
2009042467.tif 000010
【図９】
2009042467.tif 000011
【図１０】
2009042467.tif 000012
【図１１】
2009042467.tif 000013